(57)【特許請求の範囲】
【請求項１】
伝送路を介して伝送信号を受信する受信装置に設けられた誤り率表示装置であって、
前記伝送信号の誤り訂正符号化に畳み込み符号が用いられている場合に、該伝送信号をビタビ復号する際に得られる第１エラーフラグに基づいて第１誤り率を計算するビタビ誤り率計算手段と、
前記前記第１誤り率を表示する誤り率表示手段とを備え、
前記ビタビ復号するために必要な符号化率を示すビタビ復号制御信号に基づいて前記伝送信号が誤り訂正符号化されていないと判定された場合に前記誤り率表示手段の表示動作が無効となるように構成されている、
ことを特徴とする誤り率表示装置。
【請求項２】
前記受信装置は、前記伝送信号をビタビ復号するビタビ復号器を有し、前記第１エラーフラグは、前記ビタビ復号器によるビタビ復号の際に訂正が行なわれたビット数に基づいてビタビ復号器により生成されることを特徴とする請求項１記載の誤り率表示回路。
【請求項３】
前記ビタビ復号器は、前記ビタビ復号制御信号に基づいてビタビ復号を行なうように構成されていることを特徴とする請求項２記載の誤り率表示回路。
【請求項４】
伝送路を介して伝送信号を受信する受信装置に設けられた誤り率表示装置であって、
前記伝送信号の誤り訂正符号化にリード・ソロモン符号が用いられている場合に、該伝送信号をリード・ソロモン復号する際に得られる第２エラーフラグに基づいて第２誤り率を計算するリード・ソロモン誤り率計算手段と、
前記第２誤り率を表示するように構成された誤り率表示手段とを備え、
前記伝送信号に含まれるヘッダ検出データに基づいて前記伝送信号が誤り訂正符号化されていないと判定された場合に前記誤り率表示手段の表示動作が無効となるように構成されている、
ことを特徴とする誤り率表示装置。
【請求項５】
前記受信装置は、前記伝送信号をリード・ソロモン復号するリード・ソロモン復号器を有し、前記第２エラーフラグは、前記リード・ソロモン復号器によるリード・ソロモン復号の際に訂正が行なわれたビット数に基づいてリード・ソロモン復号器により生成されることを特徴とする請求項４記載の誤り率表示装置。
【請求項６】
前記リード・ソロモン復号器は、前記伝送信号に含まれる誤りが多いためにリード・ソロモン復号することができない場合に、訂正不能状態を示す訂正不能フラグを出力するように構成され、前記誤り率表示手段は前記訂正不能フラグに基づいて訂正不能状態を示す表示を行なうように構成されていることを特徴とする請求項５記載の誤り率表示装置。
【請求項７】
前記リード・ソロモン符号を用いて誤り訂正符号化される伝送信号は、ＭＰＥＧ−ＴＳ信号であることを特徴とする請求項４記載の誤り率表示装置。
【請求項８】
伝送路を介して伝送信号を受信する受信装置に設けられた誤り率表示装置であって、
前記伝送信号の誤り訂正符号化に畳み込み符号が用いられている場合に、該伝送信号をビタビ復号する際に得られる第１エラーフラグに基づいて第１誤り率を計算するビタビ誤り率計算手段と、
前記伝送信号の誤り訂正符号化にリード・ソロモン符号が用いられている場合に、該伝送信号をリード・ソロモン復号する際に得られる第２エラーフラグに基づいて第２誤り率を計算するリード・ソロモン誤り率計算手段と、
前記伝送信号の誤り訂正符号化に用いられている符号の種類が畳み込み符号のみであるか、リード・ソロモン符号のみであるか、畳み込み符号およびリード・ソロモン符号の双方であるかの３種類の場合に応じて前記第１誤り率および第２誤り率を選択的に表示する誤り率表示手段とを備え、
前記ビタビ復号するために必要な符号化率を示すビタビ復号制御信号と前記伝送信号に含まれるヘッダ検出データとに基づいて前記伝送信号が誤り訂正符号化されていないと判定された場合に前記誤り率表示手段の表示動作が無効となるように構成されている、
ことを特徴とする誤り率表示装置。
【発明の詳細な説明】
【０００１】
【発明の属する技術分野】
本発明は、誤り訂正符号化された伝送信号の誤り率を表示する誤り率表示装置に関する。
【０００２】
【従来の技術】
誤り訂正符号化された伝送信号を受信する受信装置には、該受信装置によって受信された前記伝送信号の誤り率を計算して表示する誤り率表示装置が設けられている。
ところが、前記伝送信号としては、誤り訂正符号化された信号と、誤り訂正符号化されていない信号との双方が伝送される可能性がある。
前記誤り率表示装置では、誤り訂正符号化されていない伝送信号を受信した場合にも前記誤り率を計算するように構成されている。
【０００３】
【発明が解決しようとする課題】
このため、従来の誤り率表示装置では、誤り訂正符号化されていない伝送信号を受信した場合にも前記誤り率を計算してしまうため、間違った誤り率が表示されてしまう不都合があった。
本発明は、このような従来技術の課題を解決しようとするものであり、その目的とするところは、間違った誤り率の表示を防止できる誤り率表示装置を提供することにある。
【０００４】
【課題を解決するための手段】
前記目的を達成するため、本発明は、伝送路を介して伝送信号を受信する受信装置に設けられた誤り率表示装置であって、前記伝送信号の誤り訂正符号化に畳み込み符号が用いられている場合に、該伝送信号をビタビ復号する際に得られる第１エラーフラグに基づいて第１誤り率を計算するビタビ誤り率計算手段と、前記前記第１誤り率を表示する誤り率表示手段とを備え、前記ビタビ復号するために必要な符号化率を示すビタビ復号制御信号に基づいて前記伝送信号が誤り訂正符号化されていないと判定された場合に前記誤り率表示手段の表示動作が無効となるように構成されていることを特徴とする。
そのため、前記伝送信号が誤り訂正符号化されていない場合には誤り率表示手段の表示動作が無効となる。
【０００５】
また、本発明は、伝送路を介して伝送信号を受信する受信装置に設けられた誤り率表示装置であって、前記伝送信号の誤り訂正符号化にリード・ソロモン符号が用いられている場合に、該伝送信号をリード・ソロモン復号する際に得られる第２エラーフラグに基づいて第２誤り率を計算するリード・ソロモン誤り率計算手段と、前記第２誤り率を表示するように構成された誤り率表示手段とを備え、前記伝送信号に含まれるヘッダ検出データに基づいて前記伝送信号が誤り訂正符号化されていないと判定された場合に前記誤り率表示手段の表示動作が無効となるように構成されていることを特徴とする。
そのため、前記伝送信号が誤り訂正符号化されていない場合には誤り率表示手段の表示動作が無効となる。
【０００６】
また、本発明は、伝送路を介して伝送信号を受信する受信装置に設けられた誤り率表示装置であって、前記伝送信号の誤り訂正符号化に畳み込み符号が用いられている場合に、該伝送信号をビタビ復号する際に得られる第１エラーフラグに基づいて第１誤り率を計算するビタビ誤り率計算手段と、前記伝送信号の誤り訂正符号化にリード・ソロモン符号が用いられている場合に、該伝送信号をリード・ソロモン復号する際に得られる第２エラーフラグに基づいて第２誤り率を計算するリード・ソロモン誤り率計算手段と、前記伝送信号の誤り訂正符号化に用いられている符号の種類が畳み込み符号のみであるか、リード・ソロモン符号のみであるか、畳み込み符号およびリード・ソロモン符号の双方であるかの３種類の場合に応じて前記第１誤り率および第２誤り率を選択的に表示する誤り率表示手段とを備え、前記ビタビ復号するために必要な符号化率を示すビタビ復号制御信号と前記伝送信号に含まれるヘッダ検出データとに基づいて前記伝送信号が誤り訂正符号化されていないと判定された場合に前記誤り率表示手段の表示動作が無効となるように構成されていることを特徴とする。
そのため、前記伝送信号が誤り訂正符号化されていない場合には誤り率表示手段の表示動作が無効となる。
【０００７】
【発明の実施の形態】
次に本発明の実施の形態について図面を参照して説明する。
図１は本発明の実施の形態の誤り率表示回路が適用された受信装置の構成を示すブロック図である。
受信装置１０は、図略の送信装置から伝送路を介して送信される伝送信号を受信するものである。
前記送信装置は、前記受信装置に伝送すべき伝送信号を誤り訂正符号化し、あるいは誤り訂正符号化せずに伝送する。
前記伝送信号の誤り訂正符号化は、畳み込み符号またはリード・ソロモン符号のいずれか一方または双方を用いて行なわれる。
また、本例においては、リード・ソロモン符号を用いて誤り訂正符号化される伝送信号は、ＭＰＥＧ−ＴＳ信号であり、ＭＰＥＧ−ＴＳ信号以外の信号はリード・ソロモン符号を用いた誤り訂正符号化はなされないものとする。
【０００８】
また、前記受信装置には、前記ビタビ復号器１がビタビ復号を行なう場合に必要な符号化率を示すビタビ復号制御信号が与えられるようになっている。このビタビ復号制御信号には、ビタビ復号が必要な場合に有効状態となり、ビタビ復号が不要な場合には無効状態となる情報が含まれている。
前記ビタビ復号制御信号は、前記送信装置から受信装置１０に伝送されるか、前記受信装置１０の不図示の信号生成手段によって生成される。
【０００９】
図１に示すように、前記受信装置１０は、ビタビ復号器１、バイトデインタリーブ回路２、リード・ソロモン復号器３、ビタビ誤り率計算回路４（ビタビ誤り率計算手段）、４７ｈ検出回路５（ＭＰＥＧ−ＴＳ信号検出回路）、リード・ソロモン誤り率計算回路６（リード・ソロモン誤り率計算手段）、誤り率表示回路７（誤り率表示手段）などを備えて構成されている。なお、図中、リード・ソロモン復号器３はＲＳ復号器３、リード・ソロモン誤り率計算回路６はＲＳ誤り率計算回路６と表記する。
前記送信装置から受信装置１０に伝送された伝送信号は、不図示の信号処理回路によって軟判定信号の形態に変換されている。
【００１０】
前記ビタビ復号器１は、前記ビタビ復号制御信号が有効状態を示す場合に、該ビタビ復号制御信号によって示される符号化率に基づいて前記伝送信号をビタビ復号して出力し、前記ビタビ復号制御信号が無効状態を示す場合に前記伝送信号をそのまま出力するように構成されている。また、ビタビ復号器１はビタビ復号を行なう際に、訂正を行なったビット（誤ったビット）についてエラーフラグを前記ビタビ誤り率計算回路４に入力するように構成されている。
【００１１】
前記バイトデインタリーブ回路２は、前記ビタビ復号器１から入力された伝送信号がリード・ソロモン符号で誤り訂正符号化されている場合に、すなわち後述する前記４７ｈ検出回路５から入力される４７ｈ検出信号が有効である場合に前記伝送信号をデインターリーブするものである。
【００１２】
前記リード・ソロモン復号器３は、前記バイトデインタリーブ回路２によってデインタリーブされた伝送信号に対してリード・ソロモン復号を行って出力データとして出力するものである。このリード・ソロモン復号の動作は、後述する前記４７ｈ検出回路５から入力される４７ｈ検出信号が有効である場合に行なわれる。
このリード・ソロモン復号器３は、訂正を行なったバイト（誤っていたバイト）についてエラーフラグを前記誤り率表示回路７に入力するとともに、復号時に誤りが多すぎて訂正が不能である場合にはそのことを示す訂正不能フラグをフラグを前記誤り率表示回路７に入力するように構成されている。
【００１３】
前記ビタビ誤り率計算回路４は、前記ビタビ復号器１から出力されるエラーフラグ（誤り情報）と、前記ビタビ復号制御信号とを入力して、ある一定期間のエラーフラグ数をカウントし、前記一定期間における第１誤り率を算出するように構成されている。
【００１４】
前記４７ｈ検出回路５は、前記ビタビ復号器１から出力される伝送信号を入力し、前記伝送信号にＭＰＥＧ−ＴＳ信号のＴＳパケット同期信号を構成するヘッダ検出データ（１６進数で表現すると４７ｈ）を検出し、前記ヘッダ検出データが検出されたときに有効状態、そうでないときに無効状態となる検出信号（以下４７ｈ検出信号という）を前記バイトデインタリーブ回路２、前記リード・ソロモン復号器３、前記リード・ソロモン誤り率計算回路６、前記誤り率表示回路７に入力するように構成されている。
【００１５】
前記リード・ソロモン誤り率計算回路６は、前記４７ｈ検出回路５から入力される前記４７ｈ検出信号が有効であるときに、前記リード・ソロモン復号器３から入力されるエラーフラグを入力して、ある一定期間のエラーフラグ数をカウントし、前記一定期間における第２誤り率を算出するように構成されている。
【００１６】
前記誤り率表示回路７は、前記ビタビ復号制御信号、４７ｈ検出信号、第１誤り率、第２誤り率、訂正不能フラグを入力し、これらに基づいた表示を行なうように構成されている。
さらに詳細に説明すると、前記誤り率表示回路７は、次の動作１乃至動作４を行なうように構成されている。
（動作１）前記ビタビ復号制御信号が有効で、かつ、４７ｈ検出信号が有効である場合、前記ビタビ復号の誤り率である第１誤り率を表示するとともに、前記訂正不能フラグの入力に応じて訂正不能である旨の表示を行なう。
（動作２）前記ビタビ復号制御信号が有効で、かつ、４７ｈ検出信号が無効である場合、前記ビタビ復号の誤り率である第１誤り率を表示し、訂正不能である旨の表示は行なわない。
（動作３）前記ビタビ復号制御信号が無効で、かつ、４７ｈ検出信号が有効である場合、前記リード・ソロモン復号の誤り率である第２誤り率を表示するとともに、前記訂正不能フラグの入力に応じて訂正不能である旨の表示を行なう。
（動作４）前記ビタビ復号制御信号が無効で、かつ、４７ｈ検出信号が無効である場合、前記第１誤り率の表示、第２誤り率の表示および訂正不能である旨の表示の３種類の表示の全てを無効とする。
なお、前記ビタビ復号制御信号が無効で、かつ、４７ｈ検出信号が無効である場合の伝送信号としては、例えばＰＲＢＳ信号（疑似ランダム信号）がある。
【００１７】
次に動作について説明する。
前記送信装置から受信装置１０に伝送される伝送信号が、畳み込み符号およびリード・ソロモン符号の双方を用いて誤り訂正符号化されている場合には、前記伝送信号は、前記ビタビ復号器１により復号化され、前記バイトデインタリーブ回路２によってデインタリーブされ、前記リード・ソロモン復号器３によって復号化されて出力データとして出力される。
この際、前記誤り率表示回路７は、前記ビタビ復号制御信号が有効で、かつ、４７ｈ検出信号が有効であるため、前記ビタビ誤り率計算回路４によって計算された第１誤り率を選択して表示する。また、前記リード・ソロモン誤り率計算回路６によって訂正不能フラグが出力された場合には、前記リード・ソロモン誤り率表示回路７によって訂正不能である旨の表示を行なう。
【００１８】
前記送信装置から受信装置１０に伝送される伝送信号が、畳み込み符号のみを用いて誤り訂正符号化されている場合には、前記伝送信号は、前記ビタビ復号器１により復号化されるが、前記バイトデインタリーブ回路２とリード・ソロモン復号器３では処理がなされずそのまま通過して出力データとして出力される。
この際、前記誤り率表示回路７は、前記ビタビ復号制御信号が有効で、かつ、４７ｈ検出信号が無効であるため、前記ビタビ誤り率計算回路４によって計算された第１誤り率を選択して表示する。
【００１９】
前記送信装置から受信装置１０に伝送される伝送信号が、リード・ソロモン符号のみを用いて誤り訂正符号化されている場合には、前記伝送信号は、前記ビタビ復号器１で復号化されずそのまま通過して、前記バイトデインタリーブ回路２によりデインタリーブされた後、前記リード・ソロモン復号器３で復号化され出力データとして出力される。
この際、前記誤り率表示回路７は、前記ビタビ復号制御信号が無効で、かつ、４７ｈ検出信号が有効であるため、前記リード・ソロモン誤り率計算回路６によって計算された第２誤り率を選択して表示する。また、前記リード・ソロモン誤り率計算回路６によって訂正不能フラグが出力された場合には、前記リード・ソロモン誤り率表示回路７によって訂正不能である旨の表示を行なう。
【００２０】
前記送信装置から受信装置１０に伝送される伝送信号が、誤り訂正符号化されていない場合には、前記伝送信号は、前記ビタビ復号器１、前記バイトデインタリーブ回路２、前記リード・ソロモン復号器３を通過して出力データとして出力される。
この際、前記誤り率表示回路７は、前記ビタビ復号制御信号が無効で、かつ、４７ｈ検出信号が無効であるため、前記第１誤り率の表示、第２誤り率の表示および訂正不能である旨の表示の３種類の表示の全てを無効とする。
【００２１】
そのため、本実施の形態によれば、前記送信装置から送信される伝送信号が誤り訂正符号化されている場合には、前記伝送信号の復号を行なう際に得られるエラーフラグ（前記第１エラーフラグおよび第２エラーフラグ）に基づいて誤り率（第１誤り率および第２誤り率）が算出され、これら算出された第１誤り率および第２誤り率が表示される。また、前記送信装置から送信される伝送信号が誤り訂正符号化されていない場合には、誤り率の表示が行なわれない。
したがって、誤り訂正符号化されている伝送信号に対しては正確な誤り率の計算とその表示が行なわれ、かつ、誤り訂正符号化されていない伝送信号に対しては間違った誤り率が表示されることを防止できる。
【００２２】
なお、本実施の形態では、畳み込み符号およびリード・ソロモン符号の双方を用いて誤り符号化されている場合には、前記第１誤り率を表示するようにしたが、前記第１誤り率および第２誤り率の双方を表示するように構成してもよい。
また、本実施の形態では、前記伝送信号の誤り訂正符号化に畳み込み符号およびリード・ソロモン符号の一方または双方を用いることが可能な場合について説明した。
しかしながら、本発明の誤り率表示装置は、これに限定されるものではなく、畳み込み符号のみを用いる構成、リード・ソロモン符号のみを用いる構成、畳み込み符号およびリード・ソロモン符号の双方を用いる構成のいずれの場合にも適用可能である。すなわち、これら３種類のいずれの場合においても、前記伝送信号が誤り訂正符号化されていない場合には、前記誤り率表示回路７による表示動作が無効となるように構成すればよい。
【００２３】
【発明の効果】
以上説明したように本発明によれば、畳み込み符号を用いて誤り訂正符号化されている伝送信号に対しては正確な誤り率の計算とその表示が行なわれ、かつ、誤り訂正符号化されていない伝送信号に対しては間違った誤り率が表示されることを防止できる。
また、本発明によれば、リード・ソロモン符号を用いて誤り訂正符号化されている伝送信号に対しては正確な誤り率の計算とその表示が行なわれ、かつ、誤り訂正符号化されていない伝送信号に対しては間違った誤り率が表示されることを防止できる。
また、本発明によれば、畳み込み符号またはリード・ソロモン符号を用いて誤り訂正符号化されている伝送信号に対しては正確な誤り率の計算とその表示が行なわれ、かつ、誤り訂正符号化されていない伝送信号に対しては間違った誤り率が表示されることを防止できる。
【図面の簡単な説明】
【図１】本発明の実施の形態の誤り率表示回路が適用された受信装置の構成を示すブロック図である。
【符号の説明】
１０……受信装置、１……ビタビ復号器、３……リード・ソロモン復号器、４……ビタビ誤り率計算回路、５……４７ｈ検出回路、６……リード・ソロモン誤り率計算回路、７……誤り率表示回路。
【図１】
0003546858.tif 000002